(57)【特許請求の範囲】
【請求項１】
多数本の櫛歯が立設されたブラシヘッドを有する塗布用ブラシであって、
前記ブラシヘッドは、分割可能に構成された上側分割体及び下側分割体を備え、
前記下側分割体には、薬剤が供給される供給凹部が複数形成され、
前記上側分割体には、複数の前記供給凹部にそれぞれ収容可能に構成されて、前記供給凹部内に供給される前記薬剤を前記供給凹部の上端開口縁に向けて押し出す押出凸部が複数形成され、
前記上側分割体における複数の前記押出凸部同士の間には、前記押出凸部により押し出される前記薬剤を、前記多数本の櫛歯が上方に突出する前記上側分割体の上面に導く供給口が形成されていることを特徴とする塗布用ブラシ。
【請求項２】
前記押出凸部の側面のうち、前記供給口側を向く内側面は、前記供給口側から離れるにつれて該押出凸部の高さが漸次高くなる傾斜面とされる一方、前記供給凹部の内面のうち、前記内側面に対向もしくは当接する面は、前記供給口側から離れるにつれて前記供給凹部の深さが漸次深くなる傾斜面とされていることを特徴とする請求項１記載の塗布用ブラシ。
【請求項３】
前記櫛歯は、前記下側分割体及び前記上側分割体の双方に形成されていることを特徴とする請求項１または請求項２記載の塗布用ブラシ。
【請求項４】
前記供給口は、前記櫛歯間を縫うように蛇行して延在していることを特徴とする請求項１ないし請求項３の何れか１項に記載の塗布用ブラシ。
【発明の詳細な説明】
【技術分野】
【０００１】
本発明は、塗布用ブラシに関する。
【背景技術】
【０００２】
従来から、例えば毛染め剤等の中には、互いに性状の異なる複数種類の薬剤を使用直前に混合し、この混合物を使用するものがある。
【０００３】
そして、このような混合物を塗布するための塗布用ブラシとして、例えば下記特許文献１に示されるように、多数本の櫛歯が立設されたブラシヘッドの上面において、ブラッシング方向の両側のうち、一方側に第１剤を供給し、他方側に第２剤を供給した後に、ブラッシングすることにより、ブラッシングしながら第１剤及び第２剤を混合し得るように構成したものがある。
【先行技術文献】
【特許文献】
【０００４】
【特許文献１】特開平９−２６６８１４号公報
【発明の概要】
【発明が解決しようとする課題】
【０００５】
しかしながら、上述した従来の塗布用ブラシでは、ブラッシングする際に、複数種の薬剤が上手く混合しなかったり、薬剤をブラシヘッドに供給する際に、薬剤が収容された収容容器の口部が櫛歯に引っ掛かってしまったり、また薬剤がブラシヘッドから零れ落ちてしまったりする虞があった。
【０００６】
そこで、本発明は、前述した事情に鑑みてなされたものであって、その目的は、複数種類の薬剤を確実に混合して、操作性の向上を図ることができる塗布用ブラシを提供することである。
【課題を解決するための手段】
【０００７】
上記課題を解決するために、本発明は以下の手段を提案している。
本発明に係る塗布用ブラシは、多数本の櫛歯が立設されたブラシヘッドを有する塗布用ブラシであって、前記ブラシヘッドは、分割可能に構成された上側分割体及び下側分割体を備え、前記下側分割体には、薬剤が供給される供給凹部が複数形成され、前記上側分割体には、複数の前記供給凹部にそれぞれ収容可能に構成されて、前記供給凹部内に供給される前記薬剤を前記供給凹部の上端開口縁に向けて押し出す押出凸部が複数形成され、前記上側分割体における複数の前記押出凸部同士の間には、前記押出凸部により押し出される前記薬剤を、前記多数本の櫛歯が上方に突出する前記上側分割体の上面に導く供給口が形成されていることを特徴としている。
【０００８】
このような特徴により、押出凸部により複数の供給凹部から押し出された薬剤は、供給口を通過する間に合流し、その後上側分割体の上面に到達する。そのため、ブラッシングする際に薬剤が混合され易くなり、複数種の薬剤を塗布する直前に容易、かつ確実に混合することができる。
また、収容容器から薬剤が吐出される部分が供給凹部であり、従来のような櫛歯間ではないため、薬剤の吐出時に、例えば収容容器の口部が櫛歯に引っ掛かったり、ブラシヘッドから薬剤が零れ落ちたりするのを抑制することが可能になり、操作性を向上させることができる。
【０００９】
また、本発明に係る塗布用ブラシは、前記押出凸部の側面のうち、前記供給口側を向く内側面は、前記供給口側から離れるにつれて該押出凸部の高さが漸次高くなる傾斜面とされる一方、前記供給凹部の内面のうち、前記内側面に対向もしくは当接する面は、前記供給口側から離れるにつれて前記供給凹部の深さが漸次深くなる傾斜面とされていることが好ましい。
【００１０】
この場合、各供給凹部内の薬剤は、押出凸部と供給凹部との傾斜面同士の間を通って供給口に向けて押し出されることになる。そのため、薬剤を供給口に向けてスムーズに案内し易くなるので、操作性をより向上させることができる。
【００１１】
また、本発明に係る塗布用ブラシは、前記櫛歯は、前記下側分割体及び前記上側分割体の双方に形成されていることが好ましい。
【００１２】
この場合、上側分割体及び下側分割体の双方に櫛歯が形成されているため、上側分割体及び下側分割体のうち何れか一方にまとめて多数本の櫛歯を形成する場合に比べて、各分割体における櫛歯の配設密度を低くすることが可能になる。そのため、上側分割体と下側分割体とを分離して別々に洗浄する場合に、櫛歯間を洗浄し易くなるので、塗布用ブラシを効果的に洗浄できる。
【００１３】
また、本発明に係る塗布用ブラシは、前記供給口は、前記櫛歯間を縫うように蛇行して延在していることが好ましい。
【００１４】
この場合、供給口の形状を、櫛歯間を縫うように蛇行させることで、供給凹部に供給された各薬剤が供給口を通過して合流するときに、ある程度混合されることになる。これにより、ブラッシング時により手早く、かつ均一に塗布することができる。
さらに、供給口を通過した薬剤はブラッシングしなくても櫛歯同士の間に到達することになり、ブラッシング時において薬剤がさらに混合され易くなる。
【発明の効果】
【００１５】
本発明に係る塗布用ブラシによれば、複数種類の薬剤を確実に混合して、手早く、かつ均一に塗布できるとともに、操作性の向上を図ることができる。
【図面の簡単な説明】
【００１６】
【図１】本発明の実施形態における塗布用ブラシの平面図である。
【図２】塗布用ブラシの閉位置における分解斜視図である。
【図３】塗布用ブラシの開位置における分解斜視図である。
【図４】図１のＡ−Ａ線に沿う断面図である。
【図５】図１のＢ−Ｂ線に沿う断面図である。
【図６】図１のＣ−Ｃ線に沿う断面図である。
【図７】図６に相当する図であり、塗布用ブラシの動作説明図である。
【図８】図６に相当する図であり、塗布用ブラシの動作説明図である。
【図９】本発明の他の構成を示す塗布用ブラシの平面図である。
【図１０】塗布用ブラシの閉位置における分解斜視図である。
【図１１】図９のＤ−Ｄ線に沿う断面図である。
【図１２】図９のＥ−Ｅ線に沿う断面図である。
【図１３】図１２に相当する図であり、塗布用ブラシの動作説明図である。
【図１４】図１２に相当する図であり、塗布用ブラシの動作説明図である。
【発明を実施するための形態】
【００１７】
以下、図面を参照し、本発明の実施形態に係る塗布用ブラシを説明する。
図１〜図３に示すように、塗布用ブラシ１０は、上面視長方形状のものであり、その長手方向一端側に配置された多数本の櫛歯１１，１４を有するブラシヘッド１２と、長手方向他端側に配置されて短手方向の幅がブラシヘッド１２よりも短い把持部１３と、を備えている。そして、塗布用ブラシ１０は、長手方向及び短手方向の全域に亘って上下方向に分割された上側分割体２１及び下側分割体２２に構成されている。
【００１８】
図３〜図６に示すように、下側分割体２２は、上面視でブラシヘッド１２と同等の外形を有する下側ヘッド部３２と、下側ヘッド部３２の長手方向他端に連結され、上面視で把持部１３と同等の外形を有する下側把持部３３と、を備えている。
【００１９】
下側ヘッド部３２は、短手方向の幅が下側把持部３３よりも幅広に形成された板状の部材である。下側ヘッド部３２の長手方向の一端面には、下側ヘッド部３２の短手方向両端部外側に延出する一対の延出片３４が形成され、これら延出片３４間を架け渡すように回動軸３５が形成されている。この回動軸３５は、下側ヘッド部３２の長手方向一端面から長手方向一端側に間隔を空けて短手方向に沿って延在している。
【００２０】
下側ヘッド部３２の短手方向中央部には、上方へ向けて突出する複数の櫛歯１１が形成されている。これら櫛歯１１は、長手方向に間隔を空けて配置され、第１櫛歯群３７を構成している。
【００２１】
また、下側ヘッド部３２の短手方向両端部には、下方に向けて窪んだ一対の供給凹部３８が形成され、これら供給凹部３８は第１櫛歯群３７を間に挟んで長手方向に沿って延在している。供給凹部３８は、図６に示すように、短手方向に沿う断面視で下方から上方に向かうに従い漸次短手方向の長さが長くなっている。下側ヘッド部３２の短手方向に沿う断面視において、供給凹部３８を画成する両側面３８ａ，３８ｂのうち、短手方向の内側に位置する内側面３８ａは、上方から下方に向かうに従い、短手方向外側に位置する外側面３８ｂに漸次近づくように傾斜し、外側面３８ｂは上下方向に沿って延在している。なお、図５に示すように、下側ヘッド部３２の長手方向に沿う断面視において、供給凹部３８を画成する両側面３８ｃ，３８ｄは、それぞれ上下方向に沿って延在している。すなわち、各供給凹部３８は、短手方向において第１櫛歯群３７から離れるにつれて深さが漸次深くなるように形成されている。また、各供給凹部３８の底部４０には、下方に向かって突出するリブ４１が、長手方向に沿って延在している。
【００２２】
図１〜５に示すように、下側把持部３３は、下側ヘッド部３２の長手方向他端面における短手方向中央部から長手方向に沿って延在する板状の部材である。
また、下側ヘッド部３２及び下側把持部３３の外周縁には、下側ヘッド部３２及び下側把持部３３におけるほぼ全周を取り囲む囲繞壁４２が立設されている。この囲繞壁４２は、上下方向における高さが上側分割体２１の厚さと同等に形成されており、この囲繞壁４２で囲まれた内側に上側分割体２１を収容可能に構成されている（図６参照）。また、囲繞壁４２における長手方向他端には、長手方向に貫き、かつ上下方向に沿って窪んだ収容凹部４３が形成されている。
【００２３】
上側分割体２１は、上面視でブラシヘッド１２と同等の外形を有する上側ヘッド部５１と、上側ヘッド部５１の長手方向他端に連結され、上面視で把持部１３と同等の外形を有する上側把持部５２と、を備えている。
【００２４】
上側ヘッド部５１の長手方向一端には、長手方向に沿って延出する軸受部３６が形成されている。この軸受部３６は、長手方向に沿う断面視で上方に向けて開口するＵ字状に形成され（図４参照）、上述した下側分割体２２の回動軸３５が回動可能に嵌合される。これにより、上側分割体２１及び下側分割体２２が相対的に回動軸３５回りに回動可能に構成されている。具体的に、上側分割体２１は、下側分割体２２の囲繞壁４２の内側に収容される閉位置（図１参照）と、上側分割体２１が下側分割体２２の囲繞壁４２の内側から離脱した開位置（図３参照）との間を回動可能に構成されている（図３中矢印Ｆ）。
【００２５】
上側ヘッド部５１の短手方向中央部には、上側ヘッド部５１の上下方向に貫通する供給口５３が形成されている。この供給口５３は、上面視矩形状に形成されており、供給凹部３８に供給される薬剤Ｙ１，Ｙ２（図７参照）を上側ヘッド部５１の上面側に向けて供給するためのものである。また、閉位置において、供給口５３の内側には、上述した第１櫛歯群３７の全体が一体に進入可能に構成されている。これにより、閉位置において、第１櫛歯群３７は上側ヘッド部５１の上面よりも上方に突出している。
【００２６】
また、上側ヘッド部５１の短手方向両端部には、下方に向けて突出する一対の押出凸部５４が形成されている。各押出凸部５４は、上側ヘッド部５１の長手方向に沿って延在しており、上述した供給凹部３８の内面形状と同等の外面形状に形成されて、閉位置において上述した供給凹部３８内に収容可能に構成されている。図示の例では、押出凸部５４は、長手方向に延びる直方体状に形成されている。そして、図６に示すように、押出凸部５４の側面５４ａ〜５４ｄのうち、短手方向の内側に位置して供給口５３側を向く側面５４ａは、上方から下方に向かうに従い、短手方向外側に向けて延在した傾斜面となっている。また、押出凸部５４の側面５４ａ〜５４ｄのうち、側面５４ａを除く他の側面５４ｂ〜５４ｄは、上下方向に沿って延在している。すなわち、各押出凸部５４は、短手方向において外側に向かうにつれて高さが漸次高くなるように形成されている。なお、閉位置において、押出凸部５４の各側面５４ａ〜５４ｄは、それぞれ供給凹部３８の各側面３８ａ〜３８ｄに対向もしくは当接するようになっている。
【００２７】
一方、図５，図６に示すように、上側ヘッド部５１の上面において、各押出凸部５４に対応する部分は、下方に向けて窪んだ収容部５６が形成されている。これら収容部５６は、上面視長方形状の開口部５７と、開口部５７から段差部５８を介してさらに下方に窪み各押出凸部５４の外面形状に倣った内面形状を有し、上面視で開口部５７より小形の収容凹部５９と、で形成されている。そして、収容凹部５９の内面のうち、短手方向の内側に位置して外側を向く側面５９ａにおける長手方向中央部には、第１突出部６２が形成されている。さらに、収容凹部５９の内面のうち、短手方向の外側に位置して内側を向く側面５９ｂからは、第１突出部６２に対向するように第２突出部６３が形成されている。第１突出部６２及び第２突出部６３間の間隔は、上方から下方に向かうにつれ漸次狭くなるように形成されている。なお、第２突出部６３は、第１突出部６２に比べて短手方向の幅が短く形成されている。
【００２８】
図２，図５，図６に示すように上述した各収容部５６内には、櫛歯ベース６５が収容されている。この櫛歯ベース６５は、短手方向に沿う断面視がＴ字状の部材であり、上面視長方形状に形成された平板状の土台部６６を有している。この土台部６６は、収容部５６の開口部５７内に収容され、かつ段差部５８上に配置可能に構成されており、下方に向けて突出し長手方向に延びる板状の支持片６７が形成されている。そして、支持片６７は、収容部５６内に挿入されて、収容部５６内において各突出部６２，６３同士間に挟持されている。これにより、櫛歯ベース６５が上側ヘッド部５１に保持されている。
【００２９】
また、図２に示すように、土台部６６には上方に向けて複数本の櫛歯１４が立設されている。これら櫛歯１４は、長手方向に間隔を空けて複数配置された櫛歯列が、短手方向に間隔を空けて複数列（例えば、２列）並んで形成されて、第２櫛歯群６８を構成している。なお、第２櫛歯群６８の長手方向における配設領域は、上述した第１櫛歯群３７の配列領域よりも長くなっている。
【００３０】
一方、図１〜図５に示すように、上側把持部５２は、上側ヘッド部５１の長手方向他端面における短手方向中央部から長手方向に沿って延在する板状の部材であり、塗布用ブラシ１０の使用時に上述した下側把持部３３とともに把持される。また、上側把持部５２の長手方向他端面には、長手方向に沿って突出するつまみ片６９が形成されている。このつまみ片６９は、短手方向の幅が上側把持部５２よりも短く、かつ長手方向他端面が下側把持部３３の長手方向他端面よりも突出するように形成されたものであり、上述した下側分割体２２の収容凹部４３内に収容可能に構成されている。
【００３１】
次に、上述した塗布用ブラシ１０の使用方法について説明する。
まず、図３に示すように、上側把持部５２を把持し、開位置に向けて回動軸３５回りに上側分割体２１を回動させ、下側分割体２２の供給凹部３８を開放する。そして、図７に示すように、開放された各供給凹部３８内にそれぞれ異なる性状の薬剤（第１剤Ｙ１及び第２剤Ｙ２）を供給する。
【００３２】
薬剤Ｙ１，Ｙ２の供給が完了した後、閉位置に向けて回動軸３５回りに上側分割体２１を回動させる。すると、図８に示すように、上側ヘッド部５１の押出凸部５４が下側ヘッド部３２の供給凹部３８内に進入することで、供給凹部３８内の薬剤Ｙ１，Ｙ２が供給凹部３８及び押出凸部５４の側面３８ａ，５４ａの間を通って上方に向かって（供給凹部３８の上端開口縁に向かって）押し出される（図８中矢印Ｇ）。この際、供給凹部３８及び押出凸部５４の側面３８ａ，５４ａを傾斜面に形成することで、供給凹部３８から押し出された薬剤Ｙ１，Ｙ２は、供給凹部３８及び押出凸部５４の側面３８ａ，５４ａの間を通ってスムーズに供給口５３に案内されることになる。これにより、操作性を向上させることができる。
特に、他の側面３８ｂ〜３８ｄ，５４ｂ〜５４ｄは、上下方向に延在している（摺接する）ので、薬剤Ｙ１，Ｙ２を確実に供給口５３側に流動させることができる。さらに、本実施形態では供給凹部３８と押出凸部５４とが同形状に形成されているため、側面３８ａ，５４ａの間以外の領域から薬剤Ｙ１，Ｙ２が溢れ出るのを確実に防止できる。
【００３３】
そして、上方に向けて押し出された薬剤Ｙ１，Ｙ２は、下側ヘッド部３２の上面における中央部（第１櫛歯群３７の周辺）で合流した後、上側ヘッド部５１の供給口５３を通じて上側ヘッド部５１の上面に導かれる。これにより、上側ヘッド部５１の上面において、第１櫛歯群３７の周辺に第１剤Ｙ１及び第２剤Ｙ２が到達する。
【００３４】
この状態で、把持部１３（下側把持部３３及び上側把持部５２）を把持して塗布用ブラシ１０をブラシヘッド１２の短手方向に沿って移動させると、第１剤Ｙ１及び第２剤Ｙ２が混合されながら塗布されていく。これにより、２液混合タイプの薬剤Ｙ１，Ｙ２を手早く、かつ均一に塗布でき、良好な仕上がりを得ることができる。
【００３５】
また、塗布用ブラシ１０の使用後に、塗布用ブラシ１０を洗浄する場合には、上側把持部５２のつまみ片６９を把持して回動軸３５回りに上側分割体２１を回動させて開位置に位置させ、上側分割体２１と下側分割体２２とを分離する。その後、互いに離間した上側分割体２１及び下側分割体２２を別々に洗浄する。
【００３６】
以上説明したように、本実施形態による塗布用ブラシ１０によれば、押出凸部５４により複数の供給凹部３８から押し出された薬剤Ｙ１，Ｙ２は、供給口５３を通過する間に合流し、その後上側ヘッド部５１の上面に到達する。そのため、ブラッシングする際に薬剤Ｙ１，Ｙ２が混合され易くなり、複数種の薬剤Ｙ１，Ｙ２を塗布する直前に容易、かつ確実に混合することができる。
また、収容容器から薬剤Ｙ１，Ｙ２が吐出される部分が供給凹部３８であり、従来のように櫛歯間ではないため、薬剤Ｙ１，Ｙ２の吐出時に、例えば収容容器の口部が櫛歯１１，１４に引っ掛かったり、ブラシヘッド１２から薬剤Ｙ１，Ｙ２が零れ落ちたりするのを抑制することが可能になり、操作性を向上させることができる。
【００３７】
ここで、塗布用ブラシの洗浄時において、ブラシヘッドに形成された櫛歯の密度が高いと、櫛歯間に残存する薬剤Ｙ１，Ｙ２を除去し難い。
これに対して、本実施形態では、上側ヘッド部５１及び下側ヘッド部３２の双方に櫛歯１１，１４が形成されているため、ヘッド部５１，３２のうち何れか一方にまとめて多数本の櫛歯１１，１４を形成する場合に比べて、各ヘッド部５１，３２における櫛歯１１，１４の配設密度を低くすることが可能になる。そのため、上側分割体２１と下側分割体２２とを分離して別々に洗浄する場合に、櫛歯１１，１４間を洗浄し易くなるので、塗布用ブラシ１０を効果的に洗浄できる。
【００３８】
以上、本発明の実施形態について図面を参照して詳述したが、具体的な構成はこの実施形態に限られるものではなく、本発明の要旨を逸脱しない範囲の設計変更等も含まれる。
例えば、上述した塗布用ブラシ１０は、毛染め剤に限らず、複数種類の薬剤を塗布する直前に混合する混合タイプであれば何れも使用可能である。
また、上述した実施形態では、本発明を、２種類の薬剤Ｙ１，Ｙ２を使用直前に混合して塗布する２剤混合タイプを例にして説明したが、３種類以上の薬剤を混合しても構わない。この場合にも、種類に対応した数の供給凹部３８及び押出凸部５４を形成し、各押出凸部５４間に上側ヘッド部５１の上面に薬剤を導く供給口５３を設けられていれば構わない。
さらに、上述した実施形態では、把持部１３を有するブラシヘッド１２に本発明を適用した場合について説明したが、これに限らず把持部１３を設けず、ブラシヘッド１２を直接把持して操作する構成にしても構わない。また、ブラシヘッド１２や把持部１３の形状は適宜設計変更が可能である。
【００３９】
また、上述した実施形態では、軸受部３６に回動軸３５を嵌合することで、上側分割体２１及び下側分割体２２を相対的に回動軸３５回りに回動可能に構成する場合について説明したが、これに限らず、上側分割体２１と下側分割体２２とを一体に連結するヒンジ部（一体成形）としてもよい。
さらに、上下分割体２１，２２の閉位置において、供給凹部３８及び押出凸部５４の側面３８ａ，５４ａ同士は、接していても、隙間が設けられていてもよい。
【００４０】
また、本発明は上述した実施形態に限らず、以下に示す構成でも構わない。具体的に、図９〜１２に示す塗布用ブラシ１００は、上側ヘッド部５１における短手方向中央部に、長手方向に沿って複数の櫛歯１１１が配列された第１櫛歯群１３７が形成されるとともに、上側ヘッド部５１の面方向において各櫛歯１１１間を縫うように蛇行状の供給口１５３が形成されている。なお、図示の例では櫛歯１１１を一本ずつ縫うように蛇行している。
【００４１】
この構成によれば、供給口１５３の形状を、櫛歯１１１間を縫うように蛇行して延在させることで、図１３，図１４に示すように、供給凹部３８に供給された各薬剤Ｙ１，Ｙ２が供給口１５３を通過して合流するときに、ある程度混合されることになる。これにより、ブラッシング時により手早く、かつ均一に塗布することができる。
さらに、供給口１５３を通過した薬剤Ｙ１，Ｙ２はブラッシングしなくても櫛歯１１１同士の間に到達することになり、ブラッシング時において薬剤Ｙ１，Ｙ２がさらに混合され易くなる。
【００４２】
なお、上述した実施形態では、上側ヘッド部５１に第１櫛歯群１３７を形成した上で、蛇行状の供給口１５３を形成した場合について説明したが、上側ヘッド部５１に第１櫛歯群を挿入するため貫通孔を形成する等して、第１櫛歯群を下側ヘッド部３２に形成した上で、上側ヘッド部５１に蛇行状の供給口を形成しても構わない。
また、上述した実施形態では、各櫛歯１１１間を縫うように供給口１５３を形成した場合について説明したが、これに限らず、櫛歯１１１を複数個おきに縫うように供給口１５３を形成しても構わない。
さらに、供給口は蛇行状や矩形状に限らず、適宜設計変更が可能である。
【符号の説明】
【００４３】
１０…塗布用ブラシ
１１，１４…櫛歯
１２…ブラシヘッド
２１…上側分割体
２２…下側分割体
３８…供給凹部
３８ａ…側面（傾斜面）
５３…供給口
５４…押出凸部
５４…側面（傾斜面）
Ｙ１…第１剤（薬剤）
Ｙ２…第２剤（薬剤）
【図１】
0005538138.tif 000002
【図２】
0005538138.tif 000003
【図３】
0005538138.tif 000004
【図４】
0005538138.tif 000005
【図５】
0005538138.tif 000006
【図６】
0005538138.tif 000007
【図７】
0005538138.tif 000008
【図８】
0005538138.tif 000009
【図９】
0005538138.tif 000010
【図１０】
0005538138.tif 000011
【図１１】
0005538138.tif 000012
【図１２】
0005538138.tif 000013
【図１３】
0005538138.tif 000014
【図１４】
0005538138.tif 000015